(57)【要約】      （修正有）【課題】連続作動モード（ガス抜きモードまたは内容物連続噴射モード）の保持機構の簡単化を図り、また連続作動モードの設定・解除操作の容易化を図ることを目的とする。【解決手段】カバー体２’の天井部２ｃに連続作動モード設定用の操作片部２ｄ’を有しており、例えば内容物連続噴射モード(b) に設定するときは、静止モード(a) の当該操作片部をその連結部２ｆ’を中心にして時計方向に回動操作する。この回動操作にともない、操作片部２ｄ’の端部が、アクチュエータ６を、ステム５の作動位置まで下動させてその状態に継続保持する。内容物連続噴射モード(b) から静止モード(a) に復帰させるときは、起立状態の操作片部２ｄ’の前方操作部分２ｇを反時計方向に押圧して、それまでのアクチュエータ保持状態を解除すればよい。【選択図】図５
2006327680.tif 000002
【特許請求の範囲】
【請求項１】
エアゾール容器の作動モードおよび静止モードを選択的に設定するアクチュエータが作動モード設定位置に継続して保持される連続作動モード保持機構において、
前記エアゾール容器のカバー体の天井域に、前記継続保持用の操作片部を、前記アクチュエータに対して変位可能な態様で形成し、
前記操作片部の変位にともなう押圧作用によって前記アクチュエータが前記作動モード設定位置へと移行し、かつ、当該移行後の当該操作片部と当該アクチュエータとの間の保持作用により連続作動モードが設定される、
ことを特徴とする連続作動モード保持機構。
【請求項２】
前記アクチュエータは、その回動基部が前記カバー体と一体になっているレバー式のものであり、
前記操作片部は、前記回動基部からみて、ステム結合部よりも遠いアクチュエータ部分を押圧する、
ことを特徴とする請求項１記載の連続作動モード保持機構。
【請求項３】
前記操作片部は、前記保持作用を解除する静止モード復帰用の操作部分を、前記連続作動モードのときに前記天井部から飛び出る態様で備えている、
ことを特徴とする請求項１または２記載の連続作動モード保持機構。
【請求項４】
請求項１乃至３記載の連続作動モード保持機構を備え、かつ、噴射用ガスおよび内容物を収容した、
ことを特徴とするエアゾール式製品。
【発明の詳細な説明】
【技術分野】
【０００１】
本発明は、エアゾール式製品を対象とした連続作動モード保持機構に関し、特にエアゾール式製品の作動モードと静止モードとを選択的に設定するためのアクチュエータを、それと、エアゾール容器のカバー体に設けた操作片部との作用により、作動モード設定位置に簡単，確実に継続して保持できるようにしたものである。
【０００２】
本明細書では、
・「作動モード」の語を、エアゾール容器のバルブが開いて容器内部と外部空間とが連通した状態を示す意で用い、
・「連続作動モード」の語を、作動モードが継続的に保持される状態を示す意で用い、
・「静止モード」の語を、エアゾール容器のバルブが閉じて容器内部と外部空間とが連通していない状態を示す意で用いる。
【０００３】
また、「アクチュエータ」の語を、作動モード設定用の操作部のみではなく、ステムと連結して内容物を噴射用ガスで外部空間に噴射するための内容物通路の形成部分を含む、ステム駆動用の作動部の総称として用いる。
【０００４】
利用者は、作動モードに設定するには通常の操作部（操作ボタン）を用い、連続作動モードに保持するにはエアゾール容器のカバー体に設けた操作片部を用いる。
【０００５】
この操作片部の作用は、通常の操作ボタンのモード（静止モードまたは作動モード）とは無関係に連続作動モードを設定することである。したがって、通常の操作ボタンが静止モード，作動モードのいずれの位置にあっても、当該操作片部はカバー体に対して同じ位置にある。
【０００６】
そして、容器に内容物をまだ使い切っていない（内容物が残っている）状態で連続作動モードが設定された場合には内容物のいわば連続噴射モードとなり、容器の内容物を略使い切った後で連続作動モードが設定された場合にはいわゆるガス抜きモードとなる。
【０００７】
この内容物連続噴射モードとガス抜きモードとはもっぱら用途上の違いにすぎず、エアゾール式製品の動作機構としては、当該各モードともにアクチュエータがその作動モード設定位置に継続的に保持されているものである。すなわち当該モードそれぞれにおけるバルブ機構などの動作メカニズムの違いはない。
【０００８】
また、アクチュエータおよび操作片部に関する「係止」や「係止作用」の語を、アクチュエータが操作片部に少なくとも接して受け止められることを示す意で用いる。
【０００９】
また、容器内容物の噴射孔の側を「前（先）」とし、当該噴射孔とは反対側を「後」と表現している。すなわち図１〜図８の左側が「前（先）」で、右側が「後」となる。
【００１０】
一般にガス抜きモードの設定は、使用済みエアゾール容器を廃棄するときに初めて必要となり、まだ容器内容物が存在している通常の使用段階では不要なものである。
【００１１】
そのため、ガス抜きモード保持機構は、エアゾール式製品の通常の使用段階では内容物噴射動作の障害とならず、また利用者にとっていわば目障りにもならず、そしてガス抜きモードの設定操作（およびその解除操作）を利用者が簡単に行えることが望ましく、本発明はこのような要請に応えるものである。
【００１２】
さらには、比較的長時間にわたってエアゾール式製品を連続使用する場合に、利用者が、作動モード設定の操作自体を継続的に行わなくても済み、また必要に応じてこの内容物連続噴射モードの解除操作を簡単に行えることが望ましく、本発明はこの要請にも応えるものである。
【背景技術】
【００１３】
従来、エアゾール容器のカバー体に設けた専用操作部材で使用済みエアゾール式製品のガス抜きモードを保持する機構としては、
・ステムに取り付けた噴霧ヘッド（アクチュエータ）の上面の押圧操作部とは別の部分に、当該押圧操作部より高い部分からなる段部を形成し、
・噴霧ヘッドを覆って回動可能なヘッドカバー（カバー体）には、当該アクチュエータの段部に係合する垂直状の押し板（ガス抜きモード設定部材）を固定的に形成した、
ものが提案されている（例えば、特許文献１参照）。
【００１４】
このガス抜きモード保持機構の場合、ヘッドカバー（カバー体）をエアゾール容器に対して回動操作することにより、当該ヘッドカバーの押し板（ガス抜きモード設定部材）で噴霧ヘッド（アクチュエータ）の段部を押下げ、かつその状態をガス抜きモードとして保持する。
【特許文献１】特開２００３−１６５５８８号公報
【発明の開示】
【発明が解決しようとする課題】
【００１５】
このような従来のガス抜きモード保持機構は、ヘッドカバー（カバー体）の回動操作にともなって、当該ヘッドカバーが噴霧ヘッド（アクチュエータ）を押下げることを基本的構成にしている。
【００１６】
そのため、
(1) 本来は容器外周面側の凹状部に嵌合させて固定するだけでよい（回動可能にする必要がない単一の）ヘッドカバーを、当該固定用の支持台Ｂ１と、この支持台に対して回動する肩カバーＢ２との別部材で構成し、
(2) ヘッドカバーおよび噴霧ヘッドのそれぞれにガス抜きモード設定・保持動作用の部材（ヘッドカバーの押し板および噴霧ヘッドの段部）を新設しなければならない、
という問題点、すなわちガス抜きモード保持機構の構成が複雑となりその製造にもコストがかかるなどの問題点があった。
【００１７】
また、利用者がエアゾール式製品をガス抜きモードに設定する場合、一方の手で容器を持って他方の手でヘッドカバーを回動させるといったように両方の手を使わなければならず、ガス抜きモード設定操作上の利便性に欠けるという問題点があった。
【００１８】
そこで、本発明では、エアゾール容器の作動モード設定用のアクチュエータをそのガス抜きモード（＝連続作動モードの１態様）の位置に保持するための操作片部をカバー体の天井域に形成して、連続作動モード保持機構の構成の簡単化およびその製造コストの低減化を図ることを目的とする。この連続作動モードの利用形態は、上述のように、ガス抜きモードまたは内容物連続噴射モードである。
【００１９】
また、利用者が、エアゾール容器を持った方の片手でこの操作片部を例えば折り曲げたり回動させたりすることによりアクチュエータ（ステム）を連続作動モードの位置へと移動させて、ガス抜きモードや内容物連続噴射モードの設定操作上の利便化を図ることを目的とする。
【００２０】
また、アクチュエータとしてカバー体と一体のレバー式（てこ式）のものを用い、当該アクチュエータの回動基部から遠い部分を（例えば折り曲げた状態の）上記操作片部で押し下げるようにして、すなわち当該アクチュエータを押し下げる際にその「てこ」作用を利用して、ガス抜きモードや内容物連続噴射モードの設定操作の簡単化を図ることを目的とする。
【００２１】
また、連続作動モード設定用の操作片部を折り曲げるなどしてアクチュエータを作動モード対応位置に保持したときに、当該操作片部の一部が、カバー体の上方に飛び出た態様の連続作動モード解除用の操作部分となるようにして、いったん連続作動モード（ガス抜きモード，内容物連続噴射モード）に設定した後でこれを解除したい場合などの操作上の利便化を図ることを目的とする。
【課題を解決するための手段】
【００２２】
本発明は、以上の課題を次のようにして解決する。
（１）エアゾール容器の作動モードおよび静止モードを選択的に設定するアクチュエータ（例えば後述のアクチュエータ６）が作動モード設定位置に継続して保持される連続作動モード保持機構において、
前記エアゾール容器のカバー体（例えば後述のカバー体２，２’，３，３’，４）の天井域（例えば後述の天井部２ｃ，３ｃ，４ｃ）に、前記継続保持用の操作片部（例えば後述の片部２ｄ，２ｄ’，３ｄ，３ｄ’，４ｄ）を、前記アクチュエータに対して変位可能な態様で形成し、
前記操作片部の変位にともなう押圧作用によって前記アクチュエータが前記作動モード設定位置へと移行し、かつ、当該移行後の当該操作片部と当該アクチュエータとの間の保持作用により連続作動モードを設定する。
（２）上記（１）において、
前記アクチュエータは、その回動基部（例えば後述の接続部６ａ）が前記カバー体と一体になっているレバー式のものであり、
前記操作片部は、前記回動基部からみて、ステム結合部（例えば後述のＬ字状通路部６ｃの上流側端部）よりも遠いアクチュエータ部分（例えば後述のＬ字状通路部６ｃの上面部分）を押圧する。
（３）上記（１），（２）において、
前記操作片部は、前記保持作用を解除する静止モード復帰用の操作部分（例えば図５の前方操作部分２ｇ，図６・図８の後方操作部分２ｈ，図７・図９の後方操作部分３ｇ，３ｈ）を、前記連続作動モードのときに前記天井部から飛び出る態様で備えている。
【００２３】
このような構成からなる連続作動モード保持機構および、この連続作動モード保持機構を備えたエアゾール式製品を本発明の対象としている。
【発明の効果】
【００２４】
本発明は、このように、カバー体天井部の変位可能な操作片部によりアクチュエータをその作動モード設定位置に継続して保持するので、ガス抜きモードや内容物連続噴射モードとなる連続作動モードの保持機構の構成の簡単化およびその製造コストの低減化を図ることができる。
【００２５】
また、利用者はエアゾール容器を持った方の片手でこの片部を例えば折り曲げたり回動させたりして連続作動モードへと移行し得るので、ガス抜きモードや内容物連続噴射モードの設定操作上の利便化を図ることができる。
【００２６】
また、アクチュエータとしてカバー体と一体のレバー式のものを用い、その回動中心から操作片部のアクチュエータ作用点までのいわゆる腕部分も長く設定されているので、連続作動モード設定時の当該アクチュエータの押下げの際には十分な「てこ」作用が働き、連続作動モードの設定操作の簡単化を図ることができる。
【００２７】
また、連続作動モード設定用の操作片部をその作動状態、すなわちガス抜きモードや内容物連続噴射モードに設定したときに、当該操作片部の一部がカバー体の上方から飛び出て連続作動モードの解除操作に使用されるようにしているので、内容物連続噴射モードの積極的な利用を図り、さらにはいったんガス抜きモードに設定した後でこれを解除する必要が生じた場合などの操作上の利便化を図ることができる。
【発明を実施するための最良の形態】
【００２８】
図１乃至図９を用いて本発明を実施するための最良の形態を説明する。
【００２９】
これまでも繰り返し述べたように、本発明はガス抜きモードや内容物連続噴射モードといった連続作動モードの保持機構に関するものである。そして、連続作動モード設定用の操作片部を、通常の作動モード設定用の操作ボタンとは別に設けている。
【００３０】
この保持機構がガス抜きモードまたは内容物連続噴射モードのどちらで使用されているかということは、いわば利用者の意識の違いにすぎず、当該保持機構の動作メカニズム自体はいずれのモードの使用状態でも同じである。
【００３１】
すなわち通常の（操作ボタンによって設定される）作動モードの状態を強制的に連続保持し、また必要応じてこれを解除できるようにしたものである。
【００３２】
例えば利用者がガス抜きをするつもりで連続作動モードに設定しても容器に内容物が十分残っていれば内容物の連続噴射状態になり、これに気付いた利用者は連続作動モードを解除することもできる。
【００３３】
内容物の連続噴射状態を設定した利用者が必要に応じて操作片部によりこの連続作動モードを解除できることは勿論である。
【００３４】
以下、単なる説明の便宜上であるが、図１〜図４に関してはガス抜きモードの設定を前提とし、図５〜図９に関しては内容物連続噴射モードの設定を前提とする。
【００３５】
それぞれの説明において、「ガス抜きモード」および「内容物連続噴射モード」の用語を置き換えても個々の説明内容の妥当性が担保されるのは勿論である。
【００３６】
ここで、
図１は、連続作動モード保持機構（その１；折り曲げ可能な中央片部）であって、(a)は静止モードを、(b)は通常の操作ボタン（アクチュエータ）をその下動位置に保持した状態のガス抜きモードをそれぞれ示し、
図２は、図１のガス抜きモード保持機構の上面図を示し、
図３は、連続作動モード保持機構（その２；折り曲げ可能な先端片部）であって、(a)は静止モードを、(b)は通常の操作ボタン（アクチュエータ）をその下動位置に保持した状態のガス抜きモードをそれぞれ示し、
図４は、連続作動モード保持機構（その３；折り曲げ可能な中央片部）であって、(a)は静止モードを、(b)は通常の操作ボタン（アクチュエータ）をその下動位置に保持した状態のガス抜きモードをそれぞれ示し、
図５は、図１の中央片部に解除用の操作部分を設けた連続作動モード保持機構（その１）であって、(a)は静止モードを、(b)は通常の操作ボタン（アクチュエータ）をその下動位置に保持した状態の内容物連続噴射モードをそれぞれ示し、
図６は、図１の中央片部に解除用の操作部分を設けた連続作動モード保持機構（その２）であって、(a)は静止モードを、(b)は通常の操作ボタン（アクチュエータ）をその下動位置に保持した状態の内容物連続噴射モードをそれぞれ示し、
図７は、図３の先端片部に解除用の操作部分を設けた連続作動モード保持機構であって、(a)は静止モードを、(b)は通常の操作ボタン（アクチュエータ）をその下動位置に保持した状態の内容物連続噴射モードをそれぞれ示し、
図８は、図６の連続作動モード保持機構の静止モードにおける上面図を示し、
図９は、図７の連続作動モード保持機構で用いる先端片部を示している。
【００３７】
なお、図１および図６それぞれの(a) は正確にいうと連続作動モード設定用の中央片部をまだ１度も使用していないとき（初期状態）の静止モードを示している。
【００３８】
また、通常の操作ボタンを押圧した（連続作動モード設定用の中央片部や先端片部は押圧されていない）ときの作動モードは図示していないが、この作動モードにおける当該中央片部や当該先端片部のカバー体に対する位置関係は図示の静止モードのそれと同様である。
【００３９】
以下のアルファベット付き参照番号の構成要素（例えばアンダーカット１ａ）は原則として、そのアルファベットなし参照番号の構成要素（例えば容器本体１）の一部であることを示している。
【００４０】
これらの図において、
１は後述の内容物および噴射用ガスを収納したエアゾール式製品の容器本体，
１ａは当該容器本体の外周面の一部であって後述のカバー体を嵌合させる際に用いる環状のアンダーカット，
２，２’，３，３’，４は当該アンダーカットに嵌合状態で取り付けられるカバー体，
２ａ，３ａ，４ａは当該カバー体の下方筒状部の内周下端部分に形成されてアンダーカット１ａと嵌合する環状突部，
２ｂ，３ｂ，４ｂは当該カバー体の上面側部分に形成されて後述の押圧操作部６ｂを露出させるための開口域，
２ｃ，３ｃ，４ｃは当該カバー体の天井部，
２ｄ，２ｄ’，３ｄ，３ｄ’，４ｄはそれぞれ当該天井部に折り曲げ可能な態様で形成された連続作動モード保持用の片部（連続作動モード設定用の操作片部），
２ｅ，２ｅ’は片部２ｄ，２ｄ’（の自由端側）と天井部２ｃとを連結して、最初の連続作動モード設定操作により引き裂かれる薄肉状部，
２ｆ，２ｆ’は天井部２ｃと片部２ｄ，２ｄ’との（回動中心）連結部，
２ｇは片部２ｄ’の前方操作部分，
２ｈは片部２ｄ’の後方操作部分，
３ｅは天井部３ｃと片部３ｄ，３ｄ’との（回動中心）連結部，
３ｆは連続作動モードの設定時などに用いられる前方操作部分，
３ｇ，３ｈは連続作動モードの解除時や設定時に用いられる後方操作部分，
４ｅは片部４ｄの後方端部にその全幅にわたって形成されたドーム状部分，
４ｆは天井部４ｃから下方に続く一対の内側面に形成されて、連続作動モードにおける片部４ｄの上面の幅方向（図面と垂直の方向）端部を係合保持する凸状部，
４ｇは天井部４ｃと片部４ｄとの（薄肉状の）連結部，
５は弾性力により上方向に付勢されている周知のステム（バルブ作用部），
６は当該ステムと連結して容器本体１の内容物を噴射させるためのもので、かつ、カバー体２〜４と一体になったいわゆるレバー式（てこ式）のアクチュエータ，
６ａは当該アクチュエータとカバー体２〜４との接続部（回動基部），
６ｂは当該接続部に続くスロープ状の作動モード設定用の操作部，
６ｃはステム５の出力側に連結されてこれに続く内容物通路空間域を形成するＬ字状の通路部，
６ｄは当該通路部の出力側に取り付けられた周知の２ウェイ用噴射部材（特開２０００−６１３７０号公報参照）の噴射基部，
６ｅは当該噴射基部の前方に形成された開口部，
６ｆは当該開口部の一対の側壁部分，
６ｇは当該噴射基部の共通通路，
６ｈは当該共通通路に続く部分で噴射基部６ｄに対して回動可能な選択通路部，
６ｉは当該選択通路部を形成する短尺ノズル，
６ｊは当該選択通路部を形成する長尺ノズル，
６ｋは側壁部分６ｆからその後方の非開口部にかけて形成され、連続作動モードにおける片部３ｄ，３ｄ’の前方端部を係合保持する凹状切欠部，
６ｍは図５(b)，図６(b) の内容物連続噴射モード（連続作動モード）に設定された各片部２ｄ'を係止して保持するための受け部，
をそれぞれ示している。
【００４１】
なお、連続作動モード保持用の片部２ｄ，２ｄ’，４ｄはカバー体上面の前後方向の前方中央寄り部分に設けられており、また、同保持用の片部３ｄ，３ｄ’はカバー体上面の前端部分に設けられている。
【００４２】
ここで、カバー体２，２’，３，３’，４，ステム５，アクチュエータ６はポリプロピレン，ポリエチレン，ポリアセタール，ナイロン，ポリブチレンテレフタレートなどからなるプラスチック製のものであり、それぞれ外力を受けることによりいくらか変形し、当該外力を受けなくなると元の形状に略復帰する。なお、各図の容器本体１およびステム５は同一のものを示している。
【００４３】
カバー体２〜４は、それぞれの下方筒状部の環状突部２ａ〜４ａが容器本体１のアンダーカット１ａに嵌合・保持されている。この保持状態のカバー体を容器本体１から取り外すのは比較的簡単である。
【００４４】
また、アクチュエータ６は、その接続部６ａを介して回動可能な形でカバー体２〜４と一体になっている。
【００４５】
静止モードのアクチュエータ６は、ステム５を図示上方向に付勢するコイルスプリング（図示省略）などの作用により上動した状態、すなわち図１，図３，図４，図５，図６および図７それぞれの(a)の状態に位置している。
【００４６】
図１乃至図９の連続作動モード保持機構のそれぞれに共通する基本的特徴は、
(11) 連続作動モード（ガス抜きモードまたは内容物連続噴射モード）の設定部材としての片部２ｄ〜４ｄを、アクチュエータ６に対するカバー体２〜４の天井部２〜４と一体に変位可能な形で設け、
(12) エアゾール式製品をガス抜きモードまたは内容物連続噴射モードに設定する際は、この片部２ｄ〜４ｄをアクチュエータ側に曲げることにより、その折曲げ部分でアクチュエータを作動モード設定操作時と同じように押下げていき、最終的には折曲げ後の当該片部でアクチュエータをその作動状態に保持する、すなわち連続作動モードに保持する、
ことである。
【００４７】
図１および図６の中央寄りの片部２ｄ，２ｄ’の場合、(a)の静止モード（＝当該片部が内容物連続噴射モードにまだ一度も設定されていない初期状態）や、通常の作動モード（＝アクチュエータ６の操作部６を押圧してステムを押下げた状態）では、連結部２ｆ，２ｆ’の他に、薄肉状部２ｅ，２ｅ’を介しても天井部２ｃと連結されている。
【００４８】
図５の中央寄りの片部２ｄ’の場合、天井部２ｃとの間には図６の薄肉状部２ｅ’を形成していないが、当該薄肉状部を設けるようにしてもよいことは勿論である。
【００４９】
なお、図５の片部２ｄ’の連結部２ｆ’は、図面で明示されるように前後方向の中央部分がその両側部分よりも（上下方向に）厚くなるように設定されている。
【００５０】
これにより、図５の片部２ｄ’は、図６の薄肉状部２ｅ’を備えていなくても、内容物連続噴射モードにまだ一度も設定されていない場合には略水平状態（＝図示の静止モード位置）に保持される。
【００５１】
図１，図５および図６の連続作動モード保持機構において、各図(b) のガス抜きモードや内容物連続噴射モードを最初に設定するときは、それぞれの片部２ｄ，２ｄ’を上から押圧すればよい。
【００５２】
すなわち、
(21) 図１の場合は、天井部２ｃとの間の薄肉状部２ｅをいわば引き裂きながら片部２ｄを下方に押し、
(22) 図５の場合は、片部２ｄ′の後方操作部分２ｈを下方に押し、
(23) 図６の場合は、天井部２ｃとの間の薄肉状部２ｅ′をいわば引き裂きながら片部２ｄ′の前方操作部分２ｇを下方に押す。
【００５３】
この押圧操作にともなって、図１および図５の片部は時計方向に回動し、図６の片部は反時計方向に回動する。それぞれの回動中心は連結部２ｆ，２ｆ′である。
【００５４】
そして、この片部２ｄ，２ｄ′の回動に応じる形で、アクチュエータ６は、各片部２ｄ，２ｄ’の下側となった端部で下方に押されながら（操作部６ｂを押圧した作動モード設定時と同じように）接続部６ａを中心に反時計方向に回動する。
【００５５】
アクチュエータ６は、最終的には図１および図５，図６それぞれの(b)に示すように、ステム５を作動モード位置まで下動させた状態で、片部２ｄのまたは片部２ｄ’の端部に保持される。このときの片部２ｄ’はアクチュエータ６の受け部６ｍに当接した状態で保持されている。
【００５６】
なお、片部２ｄ’（図５，図６）の上記押圧操作に際しては、その押圧操作部分とは反対側の部分（図５の場合は前方操作部分２ｇ，図６の場合は後方操作部分２ｈ）がすぐに斜めに起きてくるので、利用者は、この斜め状態となった各操作部分を新たな操作対象とすればよい。図５の片部２ｄ’に対しては前方操作部分２ｇの（静止モードの）下面側を自らの方に引き上げるようにし、図６の片部２ｄ’に対しては後方操作部分２ｈの（静止モードの）下面側を前方に押し上げるようにする。
【００５７】
図３および図７の片部３ｄ，３ｄ’の場合、(a)の静止モードや通常の作動モードでは、その両側面部分が天井部３ｃの側面部分に当接した状態で安定している。
【００５８】
この安定状態の片部３ｄを上から押圧し、また片部３ｄ’の前方操作部分３ｆを上から押圧することにより、当該片部はそれぞれ、図１の場合と同じように連結部３ｅの部分を境に折り曲げられて（＝回動して）、その底面側で側壁部分６ｆの上面を押しながらアクチュエータ６を反時計方向に回動させる。
【００５９】
そして、片部３ｄ，３ｄ’はそれぞれ最終的には図３(b) および図７(b)に示すように、ステム５を作動モード位置まで下動させた状態で、その前方端部が噴射基部６ｄの凹状切欠部６ｋに係合する。
【００６０】
図４の片部４ｄの場合、(a)の静止モードや通常の作動モードでは、その両側面部分が天井部３ｃの側面部分に当接した状態で安定している。
【００６１】
この安定状態の片部４ｄを上から押圧することにより、当該片部は、図１や図３の場合と同じように連結部４ｇの部分を境に折り曲げられて（＝回動して）、その（カバー体４の凸状部４ｆを乗り越えた）ドーム状部分４ｅで通路部６ｃの上面を押しながらアクチュエータ６を反時計方向に回動させる。
【００６２】
そして、片部４ｄは最終的には図４(b)に示すように、ステム５を作動モード位置まで下動させた状態で、片部上面が凸状部４ｆに係止された位置に保持される。
【００６３】
以上のいずれの連続作動モードの場合も、ステム５がそれに対する上方向への弾性力に抗して下動し、容器本体内部と外部空間とを連通させる周知のステム孔部（図示省略）が開いた作動モードの状態に設定されている。
【００６４】
これにより、容器本体１の残留ガス（ガス抜きモード）や内容物（内容物連続噴射モード）は、概略、容器本体−ステム孔部−ステム内通路−Ｌ字状の通路部６ｃ−共通通路６ｇ−選択通路部６ｈ（短尺ノズル６ｉ／長尺ノズル６ｊ）の経路により外部空間に噴射される。
【００６５】
なお、ガス抜きモードや内容物連続噴射モードやガス抜きモードへの設定操作を解除するには、片部２ｄ’および片部３ｄ’それぞれの突出している操作部分（図５の前方操作部分２ｇ，図６・図８の後方操作部分２ｈ，図７・図９の後方操作部分３ｇ，３ｈ）を操作して、当該各片部を図示の矢印とは逆方向に回動させればよい。回動中心は連結部２ｆ’，３ｅである。ここで片部３ｄ’に対する解除操作の際には、必要に応じて、側壁部分６ｆなどを少し押下げことにより当該片部と凹状切欠部６ｋとの係合を解く。
【００６６】
この回動操作に基づいて、片部２ｄ′，３ｄ’のそれまでのステム５およびアクチュエータ６に対する作動モード対応位置への連続保持状態が解除される。
【００６７】
そしてこの解除にともない、ステム５が周知のスプリング（図示省略）の弾性力により上方向へと移動し、アクチュエータ６も当該ステムと連動して図５(a)，図６(a)および図７(a)の静止モード位置へそれぞれ復帰する。
【００６８】
図７の片部３ｄ’（カバー体３’）としては、図９に示すように、その幅方向の両端に形成された一対の後方操作部分３ｇからなるものや、同幅方向の中央に形成された単一の後方操作部分３ｈからなるものを用いる。
【００６９】
各図の選択通路部６ｈは短尺ノズル６ｉの使用モードを示している。長尺ノズル６ｊを用いるには、選択通路部６ｈを時計方向に９０度回動させて、共通通路６ｇに当該長尺ノズルを連通させればよい。なお、長尺ノズル側の通路途中の短尺ノズル通路とのいわば交差部分は、長尺ノズル側通路が短尺ノズル通路を迂回する形になっている。
【００７０】
静止モードから通常の作動モードに設定するにはアクチュエータ６の操作部６ｂを押圧して、当該アクチュエータを図示の反時計方向に少し回動させればよい。この回動によりステム５が下動して、上述のようにステム孔部がそれまでの閉状態から開状態へとシフトする。
【００７１】
本発明が図示の内容に限定されないことは勿論であり、例えば、
(31) 片部２ｄ，２ｄ’の各静止モード位置を、当該片部側面とそれが対向するカバー体部分との当接（摩擦）により保持する、
(32) 片部３ｄ，３ｄ’，４ｄの各初期状態を、片部２ｄ，２ｄ’（図６）の場合と同じように、薄肉状部を介した各カバー体の天井部３ｃ，４ｃとの連結作用により保持する、
(33) 片部２ｄ，２ｄ’，３ｄ，３ｄ’，４ｄの各静止モード位置を、例えば当該片部に形成した突状部／凹状部と天井部２ｃ，３ｃ，４ｃの側に形成した凹状部／突状部との着脱自在な係止作用により保持する、
(34) 片部３ｄ，３ｄ’の各静止モードを、当該片部の底面と側壁部分６ｆの上面部分との当接・係止作用により保持する、
(35) 片部４ｄの静止モードを、当該片部のドーム状部分４ｅと凸状部４ｆの上面部分との当接・係止作用により保持する、
(36) 図１のガス抜きモード位置の片部２ｄを係止する任意の手段を形成する、例えば当該片部の後端部分を係止して保持する凹状部などを通路部６ｃの外周面に形成する、
(37) 片部４ｄに、片部２ｄ’や片部３ｄ’と同様のガス抜きモード解除用の前方操作部分を形成する、
(38) 片部２ｄ’に代えて片部３ｄ’と同様のものを用いる、
(39) 図５の片部２ｄ′として、図６の薄肉状部２ｅ′および連結部２ｆ′を設けたものを用いる、
(40) 図６の片部２ｄ′として、薄肉状部２ｅ′を形成せずに図５の連結部２ｆ′を設けたものを用いる、
(41) 片部３ｄ’に代えて片部２ｄ’と同様のものを用いる、
(42) カバー体２，２’，３，３’，４に連結されていない上下動タイプの操作ボタンからなるアクチュエータを用いる、
(43) ２ウェイ用噴射部材を用いずに、短尺ノズルに対応した単一の連続通路のみを形成し、または長尺ノズルに対応した回動タイプの通路のみを形成する、
ようにしてもよい。
【００７２】
本発明が適用されるエアゾール式製品としては、洗浄剤，清掃剤，制汗剤，冷却剤，筋肉消炎剤，ヘアスタイリング剤，ヘアトリートメント剤，染毛剤，育毛剤，化粧品，シェービングフォーム，食品，液滴状のもの（ビタミンなど），医薬品，医薬部外品，塗料，園芸用剤，忌避剤（殺虫剤），クリーナー，消臭剤，洗濯のり，ウレタンフォーム，消火器，接着剤，潤滑剤などの各種用途のものがある。
【００７３】
容器本体に収納する内容物は、例えば、粉状物，油成分，アルコール類，界面活性剤，高分子化合物，各用途に応じた有効成分などである。
【００７４】
粉状物としては、金属塩類粉末，無機物粉末や樹脂粉末などを用いる。例えば、タルク，カオリン，アルミニウムヒドロキシクロライド（アルミ塩），アルギン酸カルシウム，金粉，銀粉，雲母，炭酸塩，硫酸バリウム，セルロース，これらの混合物などを用いる。
【００７５】
油成分としては、シリコーン油，パーム油，ユーカリ油，ツバキ油，オリーブ油，ホホバ油，パラフィン油，ミリスチン酸，パルミチン酸，ステアリン酸，リノール酸，リノレン酸などを用いる。
【００７６】
アルコール類としては、エタノールなどの１価の低級アルコール，ラウリルアルコールなどの１価の高級アルコール，エチレングリコールなどの多価アルコールなどを用いる。
【００７７】
界面活性剤としては、ラウリル硫酸ナトリウムなどのアニオン性界面活性剤、ポリオキシエチレンオレイルエーテルなどの非イオン性界面活性剤、ラウリルジメチルアミノ酢酸ベタインなどの両性界面活性剤、塩化アルキルトリメチルアンモニウムなどのカチオン性界面活性剤などを用いる。
【００７８】
高分子化合物としては、メチルセルロース，ゼラチン，デンプン，カゼインなどを用いる。
【００７９】
各用途に応じた有効成分としては、サリチル酸メチル，インドメタシンなどの消炎鎮痛剤、安息香酸ナトリウム，クレゾールなどの除菌剤、ヒレスロイド，ジエチルトルアミドなどの害虫忌避剤、酸化亜鉛などの制汗剤、カンフル，メントールなどの清涼剤、エフェドリン，アドレナリンなどの抗喘息薬、スクラロース，アスパルテームなどの甘味料、エポキシ樹脂，ウレタンなどの接着剤や塗料、パラフェニレンジアミン，アミノフェノールなどの染料，リン酸二水素アンモニウム，炭酸水素ナトリウム・カリウムなどの消火剤などを用いる。
【００８０】
さらに、上記内容物以外の、懸濁剤，紫外線吸収剤，乳化剤，保湿剤，酸化防止剤、金属イオン封鎖剤なども用いることができる。
【００８１】
エアゾール式製品における内容物噴射用ガスとしては、炭酸ガス，窒素ガス，圧縮空気，酸素ガス，希ガス，これらの混合ガスなどの圧縮ガスや、液化石油ガス，ジメチルエーテル，フロロカーボンなどの液化ガスを用いる。
【図面の簡単な説明】
【００８２】
【図１】本発明の、連続作動モード保持機構（その１；折り曲げ可能な中央片部）であって、(a)は静止モードを、(b)は操作ボタン（アクチュエータ）を下動位置に保持した状態のガス抜きモードをそれぞれ示す説明図である。
【図２】本発明の、図１の連続作動モード保持機構の上面を示す説明図である。
【図３】本発明の、連続作動モード保持機構（その２；折り曲げ可能な先端片部）であって、(a)は静止モードを、(b)は操作ボタン（アクチュエータ）を下動位置に保持した状態のガス抜きモードをそれぞれ示す説明図である。
【図４】本発明の、連続作動モード保持機構（その３；折り曲げ可能な中央片部）であって、(a)は静止モードを、(b)は操作ボタン（アクチュエータ）を下動位置に保持した状態のガス抜きモードをそれぞれ示す説明図である。
【図５】図１の中央片部に連続作動モード解除用の操作部分を設けた連続作動モード保持機構（その１）であって、(a)は静止モードを、(b)は操作ボタン（アクチュエータ）を下動位置に保持した状態の内容物連続噴射モードをそれぞれ示す説明図である。
【図６】図１の中央片部に連続作動モード解除用の操作部分を設けた連続作動モード保持機構（その２）であって、(a)は静止モードを、(b)は操作ボタン（アクチュエータ）を下動位置に保持した状態の内容物連続噴射モードをそれぞれ示す説明図である。
【図７】図３の先端片部に連続作動モード解除用の操作部分を設けた連続作動モード保持機構であって、(a)は静止モードを、(b)は操作ボタン（アクチュエータ）を下動位置に保持した状態の内容物連続噴射モードをそれぞれ示す説明図である。
【図８】図６の連続作動モード保持機構における静止モードの上面図を示す説明図である。
【図９】図７の連続作動モード保持機構で用いる先端片部を示す説明図である。
【符号の説明】
【００８３】
１：エアゾール式製品の容器本体
１ａ：環状のアンダーカット
２，２’，３，３’，４：カバー体
２ａ，３ａ，４ａ：環状突部
２ｂ，３ｂ，４ｂ：開口域
２ｃ，３ｃ，４ｃ：天井部
２ｄ，２ｄ’，３ｄ，３ｄ’，４ｄ：片部（連続作動モード設定用の操作片部）
２ｅ，２ｅ’：薄肉状部
２ｆ，２ｆ’：薄肉状の連結部
２ｇ：前方操作部分
２ｈ：後方操作部分
３ｅ：（回動中心）連結部
３ｆ：前方操作部分
３ｇ，３ｈ：後方操作部分
４ｅ：ドーム状部分
４ｆ：凸状部
４ｇ：薄肉状の連結部
５：ステム（バルブ作用部）
６：レバー式（てこ式）のアクチュエータ
６ａ：接続部（回動基部）
６ｂ：作動モード設定用の操作部
６ｃ：Ｌ字状の通路部
６ｄ：２ウェイ用噴射部材の噴射基部
６ｅ：開口部
６ｆ：一対の側壁部分
６ｇ：共通通路
６ｈ：回動可能な選択通路部
６ｉ：短尺ノズル
６ｊ：長尺ノズル
６ｋ：凹状切欠部
６ｍ：受け部
【図１】
2006327680.tif 000003
【図２】
2006327680.tif 000004
【図３】
2006327680.tif 000005
【図４】
2006327680.tif 000006
【図５】
2006327680.tif 000007
【図６】
2006327680.tif 000008
【図７】
2006327680.tif 000009
【図８】
2006327680.tif 000010
【図９】
2006327680.tif 000011
【手続補正書】
【提出日】平成17年12月8日(2005.12.8)
【手続補正１】
【補正対象書類名】特許請求の範囲
【補正対象項目名】請求項１
【補正方法】変更
【補正の内容】
【請求項１】
エアゾール容器をその作動モードに設定するための操作部、および当該操作部と連動する出力通路側部分を含む態様のステム駆動用のアクチュエータが作動モード設定位置に継続して保持される連続作動モード保持機構において、
前記操作部を露出させる開口域を備えて前記エアゾール容器の容器本体側に嵌合保持されたカバー体の、当該開口域よりも前方の天井部に、前記作動モード設定位置の継続保持用の操作片部を前記アクチュエータおよび当該天井部に対して変位可能な態様で形成し、
前記操作片部の変位にともなう押圧作用によって前記アクチュエータが前記作動モード設定位置へと移行し、かつ、当該移行後の当該操作片部と当該アクチュエータとの間の保持作用により連続作動モードが設定される、
ことを特徴とする連続作動モード保持機構。
【手続補正２】
【補正対象書類名】明細書
【補正対象項目名】００２２
【補正方法】変更
【補正の内容】
【００２２】
本発明は、以上の課題を次のようにして解決する。
（１）エアゾール容器をその作動モードに設定するための操作部（例えば後述の操作部６ｂ）、および当該操作部と連動する出力通路側部分（例えば後述のＬ字状通路部６ｃ，噴射基部６ｄ）を含む態様のステム駆動用のアクチュエータ（例えばアクチュエータ６）が作動モード設定位置に継続して保持される連続作動モード保持機構において、
前記操作部を露出させる開口域（例えば後述の開口域２ｂ，３ｂ，４ｂ）を備えて前記エアゾール容器の容器本体側に嵌合保持されたカバー体（例えば後述のカバー体２，２’，３，３’，４）の、当該開口域よりも前方の天井部（例えば後述の天井部２ｃ，３ｃ，４ｃ）に、前記作動モード設定位置の継続保持用の操作片部（例えば後述の片部２ｄ，２ｄ’，３ｄ，３ｄ’，４ｄ）を前記アクチュエータおよび当該天井部に対して変位可能な態様で形成し、
前記操作片部の変位にともなう押圧作用によって前記アクチュエータが前記作動モード設定位置へと移行し、かつ、当該移行後の当該操作片部と当該アクチュエータとの間の保持作用により連続作動モードを設定する。
（２）上記（１）において、
前記アクチュエータは、その回動基部（例えば後述の接続部６ａ）が前記カバー体と一体になっているレバー式のものであり、
前記操作片部は、前記回動基部からみて、ステム結合部（例えば後述のＬ字状通路部６ｃの上流側端部）よりも遠いアクチュエータ部分（例えば後述のＬ字状通路部６ｃの上面部分）を押圧する。
（３）上記（１），（２）において、
前記操作片部は、前記保持作用を解除する静止モード復帰用の操作部分（例えば後述の後方操作部分２ｈ，３ｇ，３ｈ）を、前記連続作動モードのときに前記天井部から飛び出る態様で備えている。